(57)【要約】      （修正有）【課題】簡単な構成であり、設置期間を短縮でき、組み立て精度を向上できる、建造物のデッキ面へのアクセス斜路として使用される動く歩道を得る。【解決手段】支持梁１７を動く歩道の主桁として内包（兼用）することにより、支持梁と動く歩道を一体化し、この支持梁と一体化した動く歩道を所定のデッキに据え付けるようにした。  動く歩道は、支持梁を主桁として工場で組み立てるが、１０ｍ程度の組み立て体として据え付けるようにする。【選択図】図３
2007176629.tif 000002
【特許請求の範囲】
【請求項１】
支持梁を動く歩道の主桁として内包することにより、支持梁と動く歩道を一体化し、支持梁と一体化した動く歩道を所定のデッキに据え付けるようにしたことを特徴とする動く歩道。
【請求項２】
据え付けたとき傾斜する中間部と、該中間部の両端に水平な取り付け部を有する支持梁を平行にして２本設け、該支持梁に適宜の間隔でブラケットを設け、該ブラケットに支持ローラを取り付けると共に、支持梁の上に支持部材を設置して、該支持部材にブラケットを取り付け、支持梁の両端の取り付け部に設置したプーリ間に歩道ベルトを、また、支持梁に設置した支持部材にブラケットを介して手摺を巻回して設けて支持梁を動く歩道の主桁として内包するようにしたことを特徴とする請求項１記載の動く歩道。
【請求項３】
２本の支持梁間に適宜の間隔で横梁を配し、２本の支持梁の平行度を保持するようにしたことを特徴とする請求項２記載の動く歩道。
【発明の詳細な説明】
【技術分野】
【０００１】
本発明は、建造物に付帯する動く歩道に関するもので、特に、建造物のデッキ面への昇降アクセス路として形成される動く歩道に係わる。
【背景技術】
【０００２】
近年、都市再開発地区の建造物や駅舎コンコースに繋げて建設される人工地盤、大型の歩道橋あるいは港や空港などのデッキフロア等々の建造物への昇降アクセス路として動く歩道が設置されている（例えば、特許文献１参照）。
この動く歩道は、例えば、図４に示すように建造物１の所定のデッキ面へ支持梁２を据え付けて、該支持梁２上に動く歩道３を組み立てている。
【０００３】
図５に、従来型の一般的なベルト式動く歩道の断面の例を示している。建造物の所定のデッキ面に据え付けられた支持梁２に、動く歩道の主桁４を設け、該主桁４にブラケット５を介して支持ローラ６が取り付けられ、主桁４の前後端部に設けられたプーリ（図示せず）に巻回されたベルト７が、前記支持ローラ６に支持される構成になっている。
なお、８はベルト７上、両側方にエンドレスに巻回して設けられた手摺であり、ブラケット５上に立設された支持材９に支持され、ベルト７と同期して回動駆動される。
【０００４】
このように、支持梁２を据え付けた後に動く歩道３を組み立てるため、全体の据え付け
、組み立て期間が長くなっていた。また、支持梁２上で動く歩道３を組み立てるため、足場設備が必要となり、作業の危険性が高いし、動く歩道３の高い組み立て精度が得られなかった。さらに、屋外作業となる場合は作業が天候によって左右されるという問題もあった。
【０００５】
また、このように支持梁を据え付けた後に動く歩道を組み立てる工法の不都合を解決するものとして、動く歩道を予めシェル内に組み込んで所定長さの歩道ユニットを形成し、該ユニットを順次橋脚上に搬入し、連結して据え付けるようにしたものも提案されている（例えば、特許文献２参照）。
しかし、この方法は歩道ユニットを工場などで組み立て、建設現場に搬入し順次据え付けできるものの、構造的にはシェル内に主梁と横梁とを設け、該梁上に動く歩道を組み立てる構造であり、かつ、大径のシェルを要するものであって、大型化、重量化が避けられず実用的ではなかった。
【０００６】
【特許文献１】特開昭５１−１０３６４０号公報（１頁、２頁、図２）
【特許文献２】特開平９−１１０３５２号公報（２頁、図１、図２、図３、図４）
【発明の開示】
【発明が解決しようとする課題】
【０００７】
本発明は、上述のごとき問題点を解決するものであって、簡単な構成で設置期間を短縮でき、組み立て精度を向上できる、建造物のデッキ面へのアクセス斜路として使用される動く歩道を得ることを目的とする。
【課題を解決するための手段】
【０００８】
据え付けたとき傾斜する中間部と、該中間部の両端に水平な取り付け部を有する支持梁を平行にして２本設け、該支持梁に適宜の間隔でブラケットを設け、該ブラケットに支持ローラを取り付けると共に、支持梁の上に支持部材を設置して、該支持部材にブラケットを取り付け、支持梁の両端の取り付け部に設置したプーリ間に歩道ベルトを、また、支持梁に設置した支持部材にブラケットを介して手摺を巻回して設け、支持梁を動く歩道の主桁として内包するようにした。
【０００９】
このようにして支持梁を動く歩道の主桁として内包することにより、支持梁と動く歩道を一体化し、この支持梁と一体化した動く歩道を所定のデッキに据え付けるようにした。
動く歩道は、支持梁を主桁として工場で組み立てるが、１０ｍ程度の組み立て体として据え付けるようにする。
【発明の効果】
【００１０】
支持梁を動く歩道の主桁として内包して、支持梁と動く歩道を一体化したので、支持梁を据え付けるのと同時に動く歩道も据え付けられるので、人口地盤などの建造物への据え付け期間を短縮することができる。
また、動く歩道は支持梁を主桁として工場内で組み立てられるので、組み立ての精度を高めることができるし、組み立てコストも削減できる。
【００１１】
さらに、支持梁と一緒に動く歩道が据え付けられるので、動く歩道を組み立てるための足場設備を設ける必要がなくなり、また、動く歩道組み立ての工程が天候に左右されることもなくなる。
【発明を実施するための最良の形態】
【００１２】
以下、図示した本発明の最良の形態について説明する。図１は本発明を実施した昇降アクセス路を示す概略平面図、図２は同側面図。図３は図２のＡ−Ａ線に沿った正断面図である。
【００１３】
図１、図２を参照するに、建造物１１に本発明による動く歩道１６を設置した状態を示している。この例で建造物１１は、橋脚１２と、該橋脚１２に支持される橋桁１３とで構成される大型歩道橋が示されている。
１４は中間の踊場であって、低い桁１５で支持されており、地表面から中間踊場１４に動く歩道１６−１が設置され、同様に中間踊場１４から折り返して橋桁１３に動く歩道１６−２が設置されている。
【００１４】
この動く歩道１６−１と１６−２は長さが異なるだけで、構造は同一であるので、以下動く歩道１６として、図３に沿ってその構造を説明する。
１７は支持梁兼動く歩道の主桁である（以下、説明の都合上単に支持梁とする）、該支持梁１７は据え付けたさい傾斜する中間部と、中間部の両端に水平な取り付け部を有している（図２参照）。また、左右に配される支持梁１７には適宜の間隔で横梁１８が配され
て、支持梁１７の平行度が保たれている。
【００１５】
支持梁１７に設けられたブラケット１９には支持ローラ２０が取り付けられており、支持梁１７の両端部、取り付け部位置に設けられたプーリ２１間に巻回される歩道ベルト２２が支持されている。該歩道ベルト２２はプーリ２１の駆動によりエンドレスに回動されるが、図示上側のものが歩道面であり、下側のものはリターン側である。
【００１６】
支持梁１７に設置された支持部材２３には、ブラケット２４を介して手摺２５が設置されている。該手摺２５は、歩道ベルト２２の上方で、両側方に配置されており、支持梁１７の両端部位置間でエンドレスにガイド部材（図示せず）に巻回されていて、歩道ベルト２２と同期して回動する。
【００１７】
図中、２６はブラケット２４に取り付けられた歩道ベルト２２上の足元カバーであり、２７は同じくブラケット２４に取り付けられた内面カバーで、２８は同じくブラケット２４に取り付けられた外面カバーである。
なお、プーリ２１は図示していないモータにより回転駆動される。また、歩道ベルト２２には適宜の箇所においてガイドローラが当てがわれている。
【００１８】
本発明の構成は以上の通りである。したがって、工場において、支持梁１７に適宜の間隔でブラケット１９を設け、該ブラケット１９に支持ローラ２０を取り付け、また、支持梁１７の上に支持部材２３を設置して、該支持部材２３にブラケット２４を取り付ける。そして、支持梁１７の両端の取り付け部に設置したプーリ２１間に歩道ベルト２２を、また、支持梁１７に設置した支持部材２３にブラケット２４を介して手摺２５を巻回して設ける。このように、支持梁１７を動く歩道の主桁として、つまり、動く歩道の構成部材を支持梁１７に直接取り付けて構成する。    
【００１９】
このようにして、支持梁１７を動く歩道の主桁として内包した動く歩道１６を、設置現場に運び、予め建設されている地表面から中間踊場１４間に、中間踊場１４から橋桁１３間に据え付けることになる。
したがって、簡単な構造であり、精度高く組み立てられた動く歩道１６を、設置現場でそのまま据え付けることができ、工期が短縮され、組み立てコストも低減できる。
【図面の簡単な説明】
【００２０】
【図１】本発明を実施した昇降アクセス路を示す概略平面図。
【図２】同側面図。
【図３】図２のＡ−Ａ線に沿った正断面図。
【図４】従来の昇降アクセス路を示す概略側面図。
【図５】従来の動く歩道の正断面図。
【符号の説明】
【００２１】
１  建造物                                ２  支持梁
３  動く歩道                              ４  主桁
５  ブラケット                            ６  支持ローラ
７  歩道ベルト                            ８  手摺
９  支持材
１１  建造物                              １２  橋脚
１３  橋梁                                １４  中間踊場
１５  低い支柱                            １６  動く歩道
１７  支持梁                              １８  横梁
１９  ブラケット                          ２０  支持ローラ
２１  プーリ                              ２２  歩道ベルト
２３  支持部材                            ２４  ブラケット
２５  手摺                                ２６  足元カバー
２７  内面カバー                          ２８  外面カバー
【図１】
2007176629.tif 000003
【図２】
2007176629.tif 000004
【図３】
2007176629.tif 000005
【図４】
2007176629.tif 000006
【図５】
2007176629.tif 000007